(57)【特許請求の範囲】
【請求項１】
オークション事業者が行うオークションに車両を出品する出品者に対して、資金融通者が前記車両を購入することで前記車両に対応する落札前の資金を融通し、
前記出品者が前記車両を前記オークションでオークション参加者に落札させた後、前記資金融通者が落札代金を受け取って、当該受け取った落札代金から前記融通した資金を含む金額を差し引くことで、清算を行う資金融通システムで使用する資金融通サーバであって、
前記出品者が出品する車両の前記オークションにおける評価値を取得して記憶する評価値取得手段と、
前記記憶した評価値に基づいて前記出品者に融通する融通金額を決定して記憶する融通金額決定手段と、
前記出品者から前記車両を、前記融通金額決定手段が決定して記憶した融通金額で購入する購入手段と、
前記記憶した融通金額を出力する融通金額出力手段と、
前記購入手段で前記車両を購入した場合、所定の期間出品者に対し、前記車両を買い戻す権利であるコールオプションを付与するコールオプション付与手段と、
前記車両が前記オークションで流札となって再出品する回数を計数して記憶する回数計数手段と、
前記記憶した回数が所定値に達した場合に、再出品する意思の有無を確認する通知を前記出品者に対して送信する通知送信手段と、
を具備したことを特徴とする資金融通サーバ。
【請求項２】
前記評価値取得手段は、前記オークションを行うオークション事業者のコンピュータから評価値を取得することを特徴とする請求項１に記載の資金融通サーバ。
【発明の詳細な説明】
【技術分野】
【０００１】
本発明は、資金融通サーバに関し、例えば、車両をオークションに出品する際に資金を融通するものである。
【背景技術】
【０００２】
現在、国内では年間８００万台程度の中古車が流通しており、これらは全国各地に設置された車両オークション（オートオークション）市場で売買されている。
図８は、従来例に係る車両オークションシステムの仕組みを説明するための図である。
車両オークションシステム１００は、ネットワーク上で車両を競りにかける市場であって、競りを仲介するオークション会社２、車両を出品する出品店３、及び出品された車両を競り落とす複数の参加店４などから構成されている。
以下、オークションの手順を図中の括弧に示した番号に従って説明する。【０００３】
（１）まず、出品店３が車両をオークション会社２に出品する。
オークション会社２は、オークションにかけられる車両を確保しておく駐車場を備えており、出品店３は、ここに車両搬入し、諸手続を行って出品する。
（２ａ、２ｂ）次に、競りが行われる。
オークション会社２に出品される車両に対してはオークションにかけるスケジュールが決められており、決められた時間になると該当する車両のオークションが開始される。
車両は、このようにして１台ずつネットワーク上でオークションにかけられる。オークションに要する時間は、車両１台あたり数十秒である。【０００４】
オークションの競りは、次のように行われる。
出品店３は、売り端末８をオークション会社２のオークションサーバ６に接続し、一方、参加店４は競り端末９をオークションサーバ６に接続してオークションに参加する。
（２ａ）オークションサーバ６は、予定の時間になると対象となる車両のオークションを開始し、参加店４は、競り端末９に付随する競り釦を押下して車両の落札価格を競り上げていく。
車両には、出品店３が決めた開始価格が設定してあり（通常、開始額は落札予想価格より低く設定されている）、競り釦が押されるたびに、所定金額（例えば、３０００円）ずつ落札価格が上がっていく。【０００５】
（２ｂ）出品店３は、売り端末８から競り上がっていく落札価格を観察し、自分が売ってもよいと思う価格に達したときに売り端末８に付随する売り釦を押下する。
オークションサーバ６は、売り釦が押された以降は、売り釦が１秒以内に押され続ける限りオークションを続行する。【０００６】
（３）１秒以内に売り釦が押されない場合、最後に競り釦を押下した参加店４がその落札価格で車両を落札してオークションが終了する。
また、出品店３が所定時間内に売り釦を押下しない場合は、流札となってオークションが終了する。流札となった場合、出品店３は、次回のオークションに再出品することができる。【０００７】
（４）車両が落札された後、出品店３は、オークション会社２を介して、あるいは直接に車検証などの登録関連書類を落札した参加店４に渡す。
（５）落札した参加店４は、オークション会社２を介して、あるいは直接に落札代金を出品店３に入金する。【０００８】
車両オークションは、以上のように行われるが、中古自動車の流通を支援する技術として次の特許文献１の「中古自動車売買支援装置」がある。この技術は、中古車の売買価格を適正に決定するものである。この技術を用いれば、車両オークションに出品する車両の価格を適正に評価することができる。【０００９】
ところで、出品店３は、車両をオークションに出品した場合、当該車両が落札されて参加店４から入金されるまで当該車両を現金化できないという問題があった。
車両オークションは、週１回程度の頻度で開かれるため、流札して再出品する場合は、数週間もの間車両に資金が固定されることとなり、出品店３の資金繰りに影響する場合もあった。
【先行技術文献】
【特許文献】
【００１０】
【特許文献１】特開２００７−３３４８７３号公報
【発明の概要】
【発明が解決しようとする課題】
【００１１】
本発明は、車両オークションの出品者に車両落札前の資金を融通することを目的とする。
【課題を解決するための手段】
【００１２】
請求項１記載の発明では、オークション事業者が行うオークションに車両を出品する出品者に対して、資金融通者が前記車両を購入することで前記車両に対応する落札前の資金を融通し、前記出品者が前記車両を前記オークションでオークション参加者に落札させた後、前記資金融通者が落札代金を受け取って、当該受け取った落札代金から前記融通した資金を含む金額を差し引くことで、清算を行う資金融通システムで使用する資金融通サーバであって、前記出品者が出品する車両の前記オークションにおける評価値を取得して記憶する評価値取得手段と、前記記憶した評価値に基づいて前記出品者に融通する融通金額を決定して記憶する融通金額決定手段と、前記出品者から前記車両を、前記融通金額決定手段が決定して記憶した融通金額で購入する購入手段と、前記記憶した融通金額を出力する融通金額出力手段と、前記購入手段で前記車両を購入した場合、所定の期間出品者に対し、前記車両を買い戻す権利であるコールオプションを付与するコールオプション付与手段と、前記車両が前記オークションで流札となって再出品する回数を計数して記憶する回数計数手段と、前記記憶した回数が所定値に達した場合に、再出品する意思の有無を確認する通知を前記出品者に対して送信する通知送信手段と、を具備したことを特徴とする資金融通サーバを提供する。
請求項２記載の発明では、前記評価値取得手段は、前記オークションを行うオークション事業者のコンピュータから評価値を取得することを特徴とする請求項１記載の資金融通サーバを提供する。
【発明の効果】
【００１３】
本発明によれば、オークションに係る車両に対応する代金を出品者に提供することにより出品者に車両落札前の資金を融通することができる。
【図面の簡単な説明】
【００１４】
【図１】車両オークションシステムの構成を説明するための図である。
【図２】管理サーバのハードウェア的な構成を示した図である。
【図３】データベースの構成を説明するための図である。
【図４】車両オークションシステムの業務の流れを説明するためのフローチャートである。
【図５】車両オークションシステムの業務の流れを説明するためのフローチャートである。
【図６】管理サーバとオークションサーバが行う情報処理を説明するためのフローチャートである。
【図７】評価額の決定方法を説明するための図である。
【図８】従来例を説明するための図である。
【発明を実施するための形態】
【００１５】
（１）実施形態の概要
出品店３（図１）は、オークション会社２に車両を出品し、オークション会社２は、車両を評価して評価額を資金融通会社５に伝える。資金融通会社５は、評価額に基づいて融通金額を決定して出品店３に融通金を支払う。
その後、出品店３は、オークションで車両をできるだけ高い価格で参加店４に競り落とさせる。
資金融通会社５は、参加店４が支払った落札代金を受領して、融通金と落札代金の差額を出品店３との間で清算する。
以上の車両オークションシステム１において、オークションサーバ６は、車両の評価額を計算して管理サーバ７に通知し、管理サーバ７は、当該評価額に基づいて融通金額を決定して出力する。
【００１６】
（２）実施形態の詳細
図１は、本実施の形態に係る車両オークションシステム１の構成を説明するための図である。
車両オークションシステム１は、オークション会社２、出品店３、参加店４、及び出品店３に資金を融通する資金融通会社５を用いて構成されている。
オークション会社２は、中古自動車のオークションを運営する事業者であって、出品店３から駐車場に車両を搬入してもらい、オークションサーバ６を用いてこれらをオークション（競り）にかける。
なお、本実施の形態では、オークション会社２は、中古自動車をオークションにかけるものとするが、オートバイや建築車両といった特殊車両など、他の形態の車両でもよい。
【００１７】
出品店３は、車両の売り手側の事業者であって、仕入れてきた車両をオークション会社２の開催するオークションで競りにかける。
出品店３は、売り端末８をオークションサーバ６に接続し、売り手としてオークションに参加する。
【００１８】
参加店４は、オークションにかけられた車両を落札する買い手側の事業者であり、競り端末９からオークションサーバ６に接続して、オークションにかけられている車両を競り落とす。出品店３が参加店４に車両を競り落とさせる手順は従来例と同様である。
【００１９】
資金融通会社５は、出品店３に落札前の資金を融通する事業者である。
資金融通会社５は、オークション会社２が決定した車両の評価額に基づいて融通金額を決定し、出品店３に対して車両を型に融通金を支払う。
資金融通会社５と出品店３の間の契約の内容は自由であるが、本実施の形態では、資金融通会社５は、評価額の一定割合（７割）で出品店３から車両を購入し、一定期間の間、出品店３は、車両を買い戻すことができるという形で出品店３に融資金を支払う。
そのため、オークション会社２における車両の出品者の名義もこれに従って出品店３から資金融通会社５に変更される。
このように、本実施の形態では、一定期間の間買い戻しができるとの条件を付した売買契約を結ぶが、例えば、車両を担保に資金融通会社５が出品店３に融資するという形態も可能である。
また、資金融通会社５は、オークション会社２と予め業務提携しており、資金融通会社５が出品店３に資金を融通するに際して情報の共有やその他必要な諸手続を行うようになっている。
なお、本実施の形態では、オークション会社２が車両の評価額を決定するが、オークション会社２や資金融通会社５などから独立した評価会社（所定の評価事業者）が行うようにしてもよい。この場合、図１に評価会社が加わり、評価会社のサーバが評価額を例えば回帰分析などを用いて決定したり、決定した評価額をオークションサーバ６に送信したりする。
【００２０】
以上のように構成された車両オークションシステム１の動きを図１に括弧で示した番号に従って説明する。
（１）車両の出品
出品店３は、オークション会社２に車両を出品するための手続書類である出品票と、資金融通会社５の資金融通サービスを受けるための手続書類である資金融通申込書をオークション会社２に提出し、車両をオークション会社２の駐車場に搬入する。
オークション会社２は、車両が搬入されると、例えば、車種、年代、走行距離、事故歴などの車両データから車両を評価し、評価額を決定する。この評価額は、過去の同様の車両の落札記録から、この車両がオークションで落札されると推定される価格である。この評価額は、オークション会社２から出品店３に通知される。
なお、本実施の形態では、オークション会社２は、評価額を決定するが、これは、評価を点数化した評価点であってもよい。
【００２１】
（２）登録関連書類の送付
出品店３は、オークション会社２から評価額を通知されると、この評価額を承諾した後、資金融通会社５の提供する資金融通サービスを受ける旨の契約書をオークション会社２に送る。
そして、出品店３は、有効期間が所定期間（例えば、２ヶ月）以上残存している登録関連書類（車検証など）をオークション会社２に郵送などによって送付する。
【００２２】
（３）評価額の通知
オークション会社２は、出品店３が資金融通サービスの利用を希望する場合、車両の評価額を資金融通会社５に通知する。この際に、出品店３の出品票に記載された情報など必要な情報がオークション会社２から資金融通会社５に通知される。なお、出品店３は、資金融通会社５の資金融通サービスに予め会員登録してある。
【００２３】
（４）融通代金の価格提示
資金融通会社５は、車両の評価額を受けると、これに所定の係数（例えば、７０％）を乗じた値を車両に対応する融通金の金額として出品店３に提示し、資金融通サービスの提供に係る契約書を出品店３との間で交わす。
【００２４】
この契約では、（ａ）出品店３は、融通金の金額にて車両を資金融通会社５に売却する一方、所定期間の間、出品店３は、資金融通会社５から車両を融通金の金額にて買い戻せる（買う権利、即ちコールオプションに該当する）ことができる旨、（ｂ）出品店３がオークションで車両を融通金よりも高い金額で売却することに成功した場合、落札価格と融通金との差額を特別加算金として資金融通会社５が出品店３に支払う旨、（ｃ）オークションには所定回数再出品できる旨（ｄ）車両が最終的に流札し、出品店３が車両の買い戻しをしない場合（コールオプションを実行しない場合）は、資金融通会社５の当該車両の所有が確定する旨が規定されている。
【００２５】
（５）融通金の支払
出品店３と資金融通会社５の間で契約が成立すると、資金融通会社５は、出品店３に融通金を支払う。
（６ａ、６ｂ）オークションで競りに参加
出品店３は、資金融通会社５から融通金を得て資金繰りなどをする一方、車両のオークションに売り手として参加する。一方、参加店４は、買い手としてオークションに参加する。
（６ａ）参加店４は、買い釦を押下して車両の値段を競り上げていく。
（６ｂ）オークションの方法は従来例と同じであり、出品店３は、売り端末８からオークションサーバ６の競りの状況を観察し、売りたい値段に達した場合は、売り釦を押下する。
【００２６】
（７）落札
出品店３が、売り釦を押下した後、最も高い値段を付けた参加店４が車両を落札する。
一方、流札した場合、出品店３は、所定回数（例えば、３回）だけ再出品することができ、次回のオークションで売却の機会を窺う。又は、出品を取りやめ、コールオプションを実行して車両を資金融通会社５から買い戻してもよい。
【００２７】
（８）落札代金の入金
車両を入札した参加店４は、車両の代金をオークション会社２に入金し、オークション会社２は、これを資金融通会社５に入金する。又は、参加店４が直接資金融通会社５に入金してもよい。
（９）融通金と落札代金の差額清算
資金融通会社５は、落札代金を受け取ると、融通金額との差額を計算して出品店３に支払って清算する。
【００２８】
なお、出品店３には融通金額以上の金額で落札させることが求められており、落札代金の方が融通金額より高くなるようになっている。
又は、落札代金が融通金額を下回る場合、出品店３が資金融通会社５に差額を支払うように契約を結ぶこともできる。
【００２９】
以上のように、車両オークションシステム１では、出品店３は、車両をオークションに出品し、高い金額での落札を狙いつつ、車両の評価額に応じた金額を資金融通会社５に支払ってもらうことができる。
そのため、出品店３は、落札代金が入金される前であっても、車両を現金化することができる。
また、出品店３は、オークションに参加して融通金額よりも高い金額で車両を落札させた場合、融通金額と落札金額との差額を資金融通会社５に清算してもらうことができる。
更に、所定期間内であれば、コールオプションを実行し、コールオプションの設定価格（本実施の形態では融通金額）で車両を資金融通会社５から買い戻すことができる。
【００３０】
一方、資金融通会社５は、出品店３に資金を融通するに際して出品店３から手数料を得ることができる。
また、車両と登録関係書類は提携先であるオークション会社２で押さえているため、出品店３が流札してコールオプションを実行しない場合、車両を融通金額で（通常は評価額の７０％程度）で入手することができる。
更に、オークション会社２は、資金融通サービスを利用してもらうことにより出品者を増やすことができる。
【００３１】
ところで、出品店３がコールオプションを実行せず、資金融通会社５が車両を入手した場合、これをオークション会社２が買い取るように資金融通会社５とオークション会社２の間で契約を結んでおくと、評価額を適正化することができる。
即ち、出品店３は評価額を上げてもらいたいと思っており、オークション会社２（評価会社が評価額を決定する場合は評価会社）は、評価額を上げて出品を増やしたいと思っている。
しかし、評価額を上げると資金融通会社５が出品店３に支払う融通金の金額が高くなり、出品店３がコールオプションを実行しないことにより、資金融通会社５に市場価格よりも高い金額で車両を買い取らせることも可能となってしまう。
【００３２】
そこで、流札となった場合に最終的にオークション会社２が車両を融通金額で買い取る旨の取り決めをしておくと、オークション会社２は、なるべく安く車両を買いたいため、これが抑止となってオークション会社２に適正な評価額を設定させることができる。
また、資金融通会社５が評価額を設定すると、融通金の金額を抑えるために低めに評価したのではないかとの疑義が生じるが、オークション会社２が評価額を設定することにより評価額の公正さを担保することができる。
【００３３】
図２は、管理サーバ７のハードウェア的な構成を示した図である。
管理サーバ７は、ＣＰＵ（Ｃｅｎｔｒａｌ  Ｐｒｏｃｅｓｓｉｎｇ  Ｕｎｉｔ）７１、ＲＯＭ（Ｒｅａｄ  Ｏｎｌｙ  Ｍｅｍｏｒｙ）７２、ＲＡＭ（Ｒａｎｄｏｍ  Ａｃｃｅｓｓ  Ｍｅｍｏｒｙ）７３、入力部７４、出力部７５、通信制御部７６、記憶部７７などから構成されている。
【００３４】
ＣＰＵ７１は、中央処理装置であって、オークションサーバ６から評価額を受信して融通金の金額を計算して出力したり、資金融通サービスに加入する会員の管理を行ったりする。
ＲＯＭ７２は、読み取り専用メモリであって、管理サーバ７が動作する際の基本的なプログラムやパラメータを記憶している。
ＲＡＭ７３は、読み書き可能なメモリであってＣＰＵ７１が情報処理する際のワーキングメモリを提供する。
【００３５】
入力部７４は、例えば、キーボード、マウスなどの入力装置を備えており、例えば、管理サーバ７の保守の際に入力を受け付ける。
出力部７５は、例えば、ディスプレイ、プリンタなどの出力装置を備えており、各種情報を出力する。
通信制御部７６は、インターネットなどの通信ネットワークに接続し、売り端末８、オークションサーバ６などと通信を行う。
記憶部７７は、例えば、ハードディスクなどの大容量の記憶媒体を備えており、ＣＰＵ７１が実行するプログラムを格納するプログラム格納部と、データベースを格納するデータ格納部が設けられている。
【００３６】
以上、管理サーバ７の構成について説明したが、オークションサーバ６、売り端末８、競り端末９のハードウェア的な構成も管理サーバ７と同様である。
オークションサーバ６のＣＰＵは、過去のデータに基づいて車両の評価額を計算したり、ネットワーク上でオークションを実行したりする。
売り端末８の入力部には、売り釦が接続されており、出品店３が売り釦を押下するとその旨の信号がオークションサーバ６に送信される。
競り端末９の入力部には、競り釦が接続されており、参加店４が競り釦を押下するとその旨の信号がオークションサーバ６に送信される。
【００３７】
なお、本実施の形態では、オークションサーバ６と管理サーバ７を別体として構成したが、オークションサーバ６と管理サーバ７の機能を１台のサーバで実現し、これをオークション会社２に設置してもよい。
この場合、オークション会社２が資金融通会社５としての機能を担い、オークション会社２が出品店３に対して資金を融通することになる。
【００３８】
図３（ａ）は、オークションサーバ６が備えるオークションＤＢ（データベース）の論理的な構成の一例を示した図である。
「出品ＩＤ」は、出品店３が出品する車両に付与されたＩＤであって、当該車両のオークションは、出品ＩＤにより特定される。
【００３９】
「出品店ＩＤ」は、出品店３を特定するＩＤである。
「車両データ」は、車種、年代、走行距離、事故歴など、車両の評価額を決定するために必要なデータである。
「評価額」は、オークションサーバ６が当該車両に対して算出した評価額であり、融通金の金額決定の基となる額である。
「資金融通システム利用」は、資金融通会社５が提供する資金融通システムを利用するか否かを表すフラグであり、利用する場合は「１」、利用しない場合は「０」となっている。
オークションサーバ６は、当該フラグが「１」であるオークション案件に関しては、評価額を管理サーバ７に送信するなど、資金融通システムに対応した動作を行い、「０」であるオークション案件に関しては従来のオークションと同様に動作する。
【００４０】
「会員ＩＤ」は、出品店３の資金融通サービスでの会員ＩＤである。この会員ＩＤは、管理サーバ７に送信され、管理サーバ７は、会員を特定することができる。
「開始時間」は、当該車両のオークションを開始する時間である。この時間は公開され、参加店４は、これを見て当該開始時間になるとオークションに参加する。
「開始価格」は、オークションの開始時の価格であり、評価額を基にオークションサーバ６が計算する。
「落札店ＩＤ」は、車両をオークションで落札した参加店４のＩＤである。
「落札価格」は、参加店４が車両を落札した価格である。
【００４１】
図３（ｂ）は、管理サーバ７が備える融通管理ＤＢの論理的な構成の一例を示した図である。融通管理ＤＢは、記憶部７７（図２）のデータ格納部に記憶される。
「会員ＩＤ」は、出品店３の資金融通サービスでの会員ＩＤである。
「出品ＩＤ」と「評価額」は、オークションサーバ６から通知された出品ＩＤと評価額である。
「融通金額」は、管理サーバ７が評価額を基に算出した融通金額である。
「承諾」は、出品店３が当該オークション案件について資金融通サービスの適用を受けることを承諾したか否かを表すフラグである。承諾した場合は「１」となっており、承諾しない場合は「０」となっている。
【００４２】
「出品回数」は、出品店３が車両を出品した回数である。車両が流札して再出品するごとに出品回数は増えていく。管理サーバ７は、オークションサーバ６から当該車両が出品されるたびにこれを計数し、「出品回数」に入力する。
「落札」は、落札の有無を表すフラグであり、落札された場合は「１」に、まだ落札されていない場合は「０」に設定される。「落札」は、デフォルトでは「０」に設定され、管理サーバ７は、オークションサーバ６から落札の通知を受けるとこれを「１」にする。
「買い戻し」は、出品店３がコールオプションを実行したか否かを表すフラグであり、実行した場合は「１」、実行していない場合は「０」となっている。
この他、融通管理ＤＢには、オークションサーバ６が登録関連書類を受け取ったか否かを表すフラグや落札金額、及び落札金額と融通金額の差分から計算した特別加算金なども記憶している。
【００４３】
図４は、車両オークションシステム１の業務の流れを説明するためのフローチャートである。
まず、出品店３は資金融通会社５に対して会員登録する（ステップ５）。
次に、出品店３は、オークション会社２にオークションにかける車両を搬入し（ステップ１０）、出品票を提出する（ステップ１５）。また、出品店３は、資金融通サービスの申込書も提出する（ステップ２０）。
【００４４】
オークション会社２は、搬入された車両を確認して評価額を決定し、出品店３に通知する（ステップ２５）。
出品店３は、当該評価額を承諾し（ステップ３０）、資金融通サービスを受けるための融通契約書や車両の登録関連書類をオークション会社２に送る（ステップ３５）。
そして、オークション会社２は、融通契約書や出品票の内容、及び評価額を資金融通会社５に通知する（ステップ４０）。
なお、ステップ４０で、オークション会社２が資金融通会社５に登録関連書類を送付し、資金融通会社５が登録関連書類を保管するように構成してもよい。この場合、資金融通会社５は、より確実に車両を押さえることができる。
【００４５】
資金融通会社５は、これらの情報を受け取ると、契約が成立した旨を出品店３とオークション会社２に通知し（ステップ４５）、出品店３に融通金を支払う（ステップ５０）。
そして、出品店３は、融通金を受領し（ステップ５５）、事業の運転資金として有効活用する。これによって、出品店３のキャッシュフローが改善する。
【００４６】
図５は、車両オークションシステム１の業務の流れを説明するためのフローチャートの続きである。
オークション会社２は、スケジュールに従って車両のオークションを実施する（ステップ１０５）。
参加店４は、競り釦によって車両の落札価格を競り上げ、一方、出品店３は、なるべく高く売ろうと売り釦を押す機会を窺う。
資金融通会社５は、オークションを観察し、成約の状況を確認する（ステップ１１０）。
【００４７】
オークションが成約した場合（ステップ１１５；Ｙ）、オークション会社２は、落札価格などが記されたオークション計算書を資金融通会社５に送ると共に（ステップ１２０）、落札者から入金された代金を資金融通会社５に入金する（ステップ１２５）。
次に、資金融通会社５は、入金された金額の内、融通金額を越える分を特別加算金として出品店３に支払う（ステップ１３０）。
そして、出品店３は、特別加算金を受領する（ステップ１４０）。
また、オークションが成約しなかった場合（ステップ１１５；Ｎ）、オークション会社２は、オークションを終了する。
なお、管理サーバ７は、特別加算金をディスプレイやプリンタに出力する他、特別加算金の金額を振込指示ファイルとして出力し、これを金融機関サーバに送信して振込の手配を行うこともできる。
【００４８】
一方、出品店３は、オークションが成約した場合（ステップ１３５；Ｙ）、資金融通会社５から特別加算金を受領する（ステップ１４０）。
オークションが成約しなかった場合（ステップ１３５；Ｎ）、出品店３は、当該成約しなかった（流札した）オークションが３回目までのオークションであるか否かを判断する（ステップ１４５）。出品店３は、車両が流札した場合、４回まで再出品することができる。
【００４９】
成約しなかったオークションが３回目までのオークションでなかった場合、即ち、流札したオークションが４回目のオークションであった場合（ステップ１４５；Ｎ）、出品店３は、後述のステップ１５５に移行し、車両を買い戻すか否かを判断する（ステップ１５５）。
成約しなかったオークションが３回目までのオークションであった場合（ステップ１４５；Ｙ）、出品店３は、車両を再出品するか否かを判断する（ステップ１５０）。
再出品する場合は（ステップ１５０；Ｙ）、ステップ１０５に戻って次回のオークションに出品する。
再出品しない場合（ステップ１５０；Ｎ）、出品店３は、更に、買い戻し処理を行うか否かを判断する（ステップ１５５）。
【００５０】
買い戻す場合（ステップ１５５；Ｙ）、出品店３は、次の買い戻し処理を行う（ステップ１６０）。
出品店３は、買い戻し依頼書を資金融通会社５に送り、資金融通会社５は、買い戻し金額を記した清算書兼請求書を出品店３に送る。
そして、出品店３は、清算書兼請求書に従って、融通金に対応する金額を資金融通会社５に入金する。
資金融通会社５は、入金を受け付けると出品キャンセル依頼をオークション会社２に対して行う。
オークション会社２は、資金融通会社５から出品キャンセル依頼を受けると、出品店３に登録関連書類などを送付した上、車両をオークション会社２の駐車場から搬出する。
【００５１】
一方、車両を買い戻さない場合（ステップ１５５；Ｎ）、出品店３は、その意思を資金融通会社５に伝え、車両は資金融通会社５に帰属することが確定する。
また、資金融通会社５に帰属した車両をオークション会社２が買い取る契約となっている場合は、最終的にオークション会社２に帰属する。
【００５２】
なお、４回目のオークションが流札になった場合、追加の料金を資金融通会社５に支払って、流札になった車両を対象に再度資金融通サービスを受けて新たに出品することも可能である。
また、追加の料金を他の車両によって代替することも可能であり、この場合、資金融通会社５は、他の車両の評価額によって追加の料金を清算する。
【００５３】
図６は、以上の資金融通サービスで資金融通会社５の管理サーバ７と、オークション会社２のオークションサーバ６が行う情報処理を説明するためのフローチャートである。
以下の処理は、管理サーバ７のＣＰＵ７１と、オークションサーバ６のＣＰＵが所定のプログラムに従って行うものである。
まず、オークションサーバ６は、出品店３から車両の出品を受け付けると（ステップ２０５）、出品ＩＤを採番し、オークションＤＢに当該出品用の欄を設ける。そして、オークションサーバ６は、オークションＤＢの「出品店ＩＤ」、「車両データ」、・・・などの項目の入力を受け付ける。
オークションサーバ６は、オークション会社２の担当者から入力を受け付けることによりこれらの処理を行う。
【００５４】
次に、オークションサーバ６は、オークションＤＢから当該車両の車両データを取得し（ステップ２１５）、当該車両の評価額を計算する（ステップ２２０）。
オークションサーバ６には、過去の同類の車両の落札価格を用いて出品に係る車両の落札価格を推定するアルゴリズムがプログラム化されてインストールされており、本実施の形態では、このプログラムによって計算した推定落札価格を評価額としている。なお、推定落札価格に所定係数を乗じた値を評価額とするなど、推定落札価格に基づいた他の値を評価額としてもよい。
【００５５】
次に、オークションサーバ６は、会員ＩＤと評価額を管理サーバ７に送信する（ステップ２２５）。
管理サーバ７は、会員ＩＤと評価額を受信し（ステップ２３０）、まず、会員ＩＤにより出品店３を特定する。
そして、管理サーバ７は、融通管理ＤＢに出品店３の当該車両用の欄を設け、オークションサーバ６から受信した評価額を入力する。
次に、管理サーバ７は、評価額を基に融通金の金額を計算して融通管理ＤＢに入力する（ステップ２３５）。本実施の形態では、評価額の７０％として計算過程の透明化を図っている。
【００５６】
次に、管理サーバ７は、融通金の金額を出力する（ステップ２４０）。この出力は、ディスプレイに表示したり、あるいは、プリンタで印刷媒体に出力したりすることにより行うことができる。
【００５７】
又は、金融機関に振込を指示する振込指示ファイルとして出力してもよい。
振込指示ファイルには、振込元の資金融通会社５の口座と、振込先の出品店３の口座、及び振込金額などが記録されており、金融機関のサーバは、振込指示ファイルに従って自動的に振込を実行する。
また、振込指示ファイルの出力をバッチ処理とし、例えば、所定の時間に達すると、その日に受け付けた資金融通案件に対する振込指示ファイルを一括して出力するように構成することもできる。
この場合、１の振込指示ファイルに前の締時間から今回の締時間までに受け付けた出品店３に対する振込指示が記録されている。
更に、管理サーバ７は、振込指示ファイルを金融機関のサーバに送信し、融通資金支払の手配をするように構成することもできる。
【００５８】
次に、図７を用いて評価額の計算方法（図６のステップ２２０）について説明する。
図７は、過去のオークション結果を記憶したオークション履歴ＤＢであって、オークションサーバ６に記憶されている。
なお、以下の処理は、オークションサーバ６のＣＰＵが行うが、下記の処理を評価会社のサーバのＣＰＵで行ってもよい。
オークション履歴ＤＢは、「車両ＩＤ」、「メーカ」、「車種」、「グレード」、「年式」、「装備」、「走行距離」、「色」、「落札日」、「取引価格」、「オークション会場」などの項目から構成されている。
【００５９】
「車両ＩＤ」は、過去のオークションに出品された車両を識別するために車両ごとに付与されたＩＤである。車両ＩＤは、データベースで車両のデータを統計処理する際のキーとして利用することができる。車両ＩＤにより、当該車両に関してのメーカや車種などの各要素を特定することができる。
「メーカ」は、車両の製造メーカである。
「車種」は、車両の車種である。
「グレード」は、車両のグレードである。
「年式」は、車両の年式である。
「装備」は、例えば、パワーウインドウやナビゲーションなど、車両が備えている装備である。
「走行距離」は、車両の走行距離である。
「色」は、車両の色である。
「落札日」は、車両がオークションで落札された年月日である。
「取引価格」は、オークションで落札された落札価格である。
「オークション会場」は、車両がオークションにかけられたオークション会場である。
【００６０】
オークション履歴ＤＢは、各オークション会場における落札履歴が入力されるが、この際に、価格推移のトレンドなどから見て明らかに異常値と思われる特異データは除かれる。また、事故車両や登録から所定年数以上経過した車両も除く。このようにデータをクリーニングすることにより、より精度の高い解析を行うことができる。
【００６１】
オークションサーバ６は、評価対象の車両の車両データが入力されると、オークション履歴ＤＢで類似する車両の記録を抽出する。
そして、これら項目がどの程度落札価格に作用しているか、即ち、これらの項目により落札価格がどの程度説明できるか回帰分析する。
そして、回帰分析により、これら項目（この要素は説明変数に該当する）の落札価格（従属変数に該当する）に対する説明の程度が解るため、例えば、この程度で各項目を重みづけして（例えば、「メーカ」の重み、「走行距離」の重みなど）落札価格を予想する計算式を設定することができる。
通常は、「メーカ」、「車種」、「グレード」、「年式」、「走行距離」などが落札価格の決定に対して主要な要素（説明変数）となる。
そのため、更に、例えば、主な項目である「メーカ」、「車種」、「グレード」、「年式」が一致するもの、また「走行距離」が近いものを抽出し、過去３ヶ月の落札価格を回帰分析したり、また、短期のデータだけ見ると、確実性が低い場合があるため、更に、１年前、２年前と、過去に遡っていき、回帰分析したりなど、多面的に回帰分析して予測の精度を高めることができる。
【００６２】
より具体的には、排気量に応じた経過年数ごとの標準走行距離を定義し、対象オークションデータの距離と標準車両価格の関係を回帰分析したり、基準となる標準点を定義し、対象オークションデータの評価点と標準車両価格の関係を回帰分析したり、メーカオプションのうち、サンルーフ、革シート、カーナビを評価対象として対象オークションデータのオプション装備とオークション取引価格の関係を回帰分析したり、更に、車両の色を同系色カテゴリに区分し、対象オークションデータの色とオークション取引価格の関係を回帰分析したりする。
【００６３】
また、メーカ別価格残存率、カテゴリ別（セダン、ワゴンなど）価格残存率、価格大別価格残存率でマトリクス分析を行い市場動向の裏付けを行う。ここで、マトリクス分析とは、一般市場における様々な要素を組み込むことにより実際の売買に則した評価額の設定を可能とするものである。
以上によって、対象となる車両の落札価格が推定される。また、価格変動率も得ることができる。
【００６４】
また、出品回数が少ない車両の場合、出品回数が多く統計データのサンプル数が豊富な車両とグルーピングしておき、グルーピングした車両には共通のグループＩＤを付与して管理する。この場合、図７には、図示しない項目「グループＩＤ」が追加される。
このグループＩＤは、車両のグループに付与されるＩＤであり、当該グループにはグループ分けされた複数の車両が属している。
なお、車両のグループ分けは、例えば、上記のマトリックス分析による重みづけから決定することができる。
そして、オークションサーバ６は、サンプル数（出品回数）が豊富な車両の評価額を計算し、これを減損して出品回数が当該サンプル数（出品回数）より少ない車両の評価額を計算する。即ち、出品数が所定数以上の１の車両の統計的評価額を、出品数が所定数未満の他の車両に外挿することにより、当該他の車両の評価額を推定する。
グループの設定は、計算に適したように任意に設定することができる。例えば、価格帯、走行距離が同じものをグルーピングする。
【００６５】
以上、本実施の形態について説明したが、各種の変形が可能である。
例えば、資金融通会社５は、オークション会社２から車両の出品回数を受信することにより出品回数を計数し、４回目（最終の出品）の前に、再出品するかあるいはコールオプションを実行するかの意思を確認する電子メールを出品店３に送信するように構成することもできる。
４回目のオークションで流札すると、出品店３は、所定期日まで（例えば、２営業日以内）に車両を買い戻さないと、車両の所有権が資金融通会社５に帰属するため、このように確認の電子メールを送信することにより出品店３の利便性が向上する。
また、車両の評価はオークションサーバ６で行ったが、これを管理サーバ７で行うように構成することもできる。
【００６６】
また、資金融通会社５は、銀行やその他投資家から借りた資金により設立される場合が考えられる。
この場合、資金を融通した車両とその車両のオークション日程、及び落札された場合はその落札価格などを設立資金の提供者にウェブサイト上で提示する機能を管理サーバ７に備えることもできる。これにより、投資家などがリスクヘッジのための判断を行う際の情報を提供することができる。
【００６７】
以上に説明した本実施の形態により、次の構成を得ることができる。
車両オークションシステム１は、オークションに車両を出品する出品者（出品店３）に対して資金融通者（資金融通会社５）が前記車両に対応する落札前の資金（融通金）を融通し、前記出品者が前記車両を前記オークションでオークション参加者（参加店４）に落札させた後、前記融通者が落札代金を受け取って、前記出品者に対して前記融通した資金と前記落札代金との清算を（特別加算金によって）行う資金融通システムとして機能している。
そして、管理サーバ７は、当該資金融通システムで使用する資金融通サーバであって、オークションサーバ６から出品店３の出品する車両の評価額を受信して融通管理ＤＢに記憶し、当該記憶した評価額から融通金額を計算して融通管理ＤＢに記憶するため、前記出品者（出品店３）が出品する車両の前記オークションにおける評価値（評価額）を取得して記憶する評価値取得手段と、前記記憶した評価値に基づいて前記出品者に融通する融通金額を決定して記憶する融通金額決定手段を備えている。
そして、管理サーバ７は、融通金額をディスプレイやプリンタに出力したり、振込指示ファイルとして出力するため、前記記憶したした融通金額を出力する融通金額出力手段を備えている。
【００６８】
また、管理サーバ７は、車両の落札金額をオークションサーバ６から受信して融通管理ＤＢに記憶し、融通金額と落札金額から特別加算金を計算して記憶するため、前記車両の前記オークションでの落札金額を取得して記憶する落札金額取得手段と、前記出力した融通金額と前記記憶した落札金額を用いて前記清算を行うための清算金額（特別加算金）を取得して記憶する清算金額取得手段を備えている。
また、管理サーバ７は、特別加算金をディスプレイやプリンタ、あるいは振込指示ファイルに出力することができるため、前記記憶した清算金額を出力する清算金額出力手段を備えている。
【００６９】
また、オークションサーバ６は、車両のオークションでの推定落札価格を評価額とし、管理サーバ７は、これを受信するため、前記評価値取得手段は、評価値として前記車両の前記オークションでの推定落札価格を取得している。
【００７０】
更に、管理サーバ７は、車両が流札となって再出品する回数を計数して融通管理ＤＢに記憶し、４回目の出品の際に再出品の意思を確認する電子メールを出品店３に送信するように構成することができ、この場合、管理サーバ７は、前記車両が前記オークションで流札となって再出品する回数を計数して記憶する回数計数手段と、前記記憶した回数が所定値に達した場合に、前記出品者に再出品する意思の有無を確認する通知（電子メール）を前記出品者に対して送信する通知送信手段を備えている。
【００７１】
また、管理サーバ７は、オークション会社２のオークションサーバ６が決定した評価額をオークションサーバ６から受信するため、前記評価値取得手段は、前記オークションを行うオークション事業者のコンピュータから前記オークション事業者が決定した評価値を取得している。
【符号の説明】
【００７２】
１  車両オークションシステム
２  オークション会社
３  出品店
４  参加店
５  資金融通会社
６  オークションサーバ
７  管理サーバ
８  売り端末
９  競り端末
１００  車両オークションシステム
【図１】
0005514227.tif 000002
【図２】
0005514227.tif 000003
【図３】
0005514227.tif 000004
【図４】
0005514227.tif 000005
【図５】
0005514227.tif 000006
【図６】
0005514227.tif 000007
【図７】
0005514227.tif 000008
【図８】
0005514227.tif 000009